(57)【要約】      本発明は、確認応答（ＡＣＫ）ビットマップに基づいてアグリゲーションサイズを調節するための方法であって、次のステップ、すなわち：ｋ番目の圧縮ブロック確認応答（ＣＢＡ）を受信するステップ；等式（１）を適用することによって粒度係数（ｇ）を算出するステップ；等式（２）を適用することによってｋ番目のＣＢＡに対するビットエラー密度（ＢＥＤｋ）を確定するステップ；（ｋ＋１）番目のＣＢＡを受信するステップ；等式（２）を適用することによって（ｋ＋１）番目のＣＢＡに対するビットエラー密度（ＢＥＤ（ｋ＋１））を確定するステップ；粒度係数（ｇ）、ｋ番目のビットエラー密度ＢＥＤｋ値および（ｋ＋１）番目のビットエラー密度ＢＥＤｋ＋１の値に基づいてアグリゲーションサイズを調節するステップによって特徴づけられ；ｋ番目のビットエラー密度ＢＥＤｋが（ｋ＋１）番目のビットエラー密度ＢＥＤｋ＋１より大きな場合、その時粒度係数（ｇ）の値に基づいてアグリゲーションサイズを増加させ；ｋ番目のビットエラー密度ＢＥＤｋが、（ｋ＋１）番目のビットエラー密度ＢＥＤｋ＋１より小さい場合、その時粒度係数（ｇ）の値に基づいてアグリゲーションサイズを減少させ；ｋ番目のビットエラー密度ＢＥＤｋが（ｋ＋１）番目のビットエラー密度ＢＥＤｋ＋１と等しい場合、アグリゲーションサイズが変化しないまま保持されることを特徴とする方法に関する。【選択図】  図１
2016500981.tif 000002
【特許請求の範囲】
【請求項１】
確認応答（ＡＣＫ）ビットマップに基づいてアグリゲーションサイズを調節するための方法であって、次のステップ、すなわち：
ｋ番目の圧縮ブロック確認応答（ＣＢＡ）を受信するステップであって、ｋ番目がＣＢＡを受信する順番であるステップ；
等式（１）、すなわち；
2016500981.tif 000014
を適用することによって粒度係数（ｇ）を算出するステップであって、ここで、
Ａｇｇｍａｘが最大アグリゲーションであり、Ｑａｖｇが平均待ち行列の長さであるステップ；
等式（２）、すなわち；
ＢＥＤｋ＝ｂｚ／ｂｔ    （２）
を適用することによってｋ番目のＣＢＡに対するビットエラー密度（ＢＥＤｋ）を確定するステップであって、ここで、ｂｚがｋ番目のＡＣＫのゼロビットの数であり、ｂｔがｋ番目のＡＣＫの使用されたビットの合計数であるステップ；
（ｋ＋１）番目のＣＢＡを受信するステップ；
等式（２）を適用することによって（ｋ＋１）番目のＣＢＡに対するビットエラー密度（ＢＥＤｋ＋１）を確定するステップ；
粒度係数（ｇ）、ｋ番目のビットエラー密度ＢＥＤｋ値および（ｋ＋１）番目のビットエラー密度ＢＥＤｋ＋１の値に基づいて前記アグリゲーションサイズを調節するステップによって特徴づけられ；
前記ｋ番目のビットエラー密度ＢＥＤｋが前記（ｋ＋１）番目のビットエラー密度ＢＥＤｋ＋１より大きい場合、その時粒度係数（ｇ）の前記値に基づいて前記アグリゲーションサイズを増加させ；
前記ｋ番目のビットエラー密度ＢＥＤｋが前記（ｋ＋１）番目のビットエラー密度ＢＥＤｋ＋１より小さい場合、その時粒度係数（ｇ）の前記値に基づいて前記アグリゲーションサイズを減少させ；
前記ｋ番目のビットエラー密度ＢＥＤｋが前記（ｋ＋１）番目のビットエラー密度ＢＥＤｋ＋１と等しい場合、その時前記アグリゲーションサイズが変化せず保持されることを特徴とする方法。
【請求項２】
前記アグリゲーションサイズが、８０２．１１ｎ標準によって規定される６４キロバイトを超えてはならないことを特徴とする請求項１に記載のＡＣＫビットマップに基づいてアグリゲーションサイズを調節するための方法。
【請求項３】
最小アグリゲーションサイズが、待ち行列の平均パケットサイズであることを特徴とする請求項１に記載のＡＣＫビットマップに基づいてアグリゲーションサイズを調節するための方法。
【請求項４】
安定性閾値（Ｄｂ，Ｄｗ）が、誤った判定および速い変動を回避するのに用いられることを特徴とする請求項１に記載のＡＣＫビットマップに基づいてアグリゲーションサイズを調節するための方法。
【発明の詳細な説明】
【技術分野】
【０００１】
本発明は、確認応答（ＡＣＫ）ビットマップに基づいてアグリゲーションサイズを調節するための方法に、および特にネットワーク通信におけるフレームアグリゲーション中の動的アグリゲーションサイズ調節の方法に関する。
【背景技術】
【０００２】
８０２．１１ｎ  ＩＥＥＥ標準は、２種類のアグリゲーション、アグリゲート媒体アクセス制御（ＭＡＣ）サービスデータユニット（Ａ−ＭＳＤＵ）およびアグリゲートＭＡＣプロトコルデータユニット（Ａ−ＭＰＤＵ）を規定する。Ａ−ＭＰＤＵアグリゲーションは、単一物理レイヤ（ＰＨＹ）プロトコルデータユニット（ＰＰＤＵ）フレーム内に複数のＭＡＣプロトコルデータユニット（ＭＰＤＵ）を組み合わせてかつ単一チャネルアクセスでそれを送信する。Ａ−ＭＰＤＵアグリゲーションによって構成されるＰＰＤＵのサイズは、６４キロバイトまたは６４ＭＰＤＵのうちどちらかより早く到達されるものの上限を有する。
【０００３】
８０２．１１ｎ標準は、Ａ−ＭＰＤＵフレームを承認するために圧縮ブロック確認応答（ＣＢＡ）を規定する。ＣＢＡは、単一ＡＣＫフレームによってアグリゲートＡ−ＭＰＤＵフレームを承認するために８０２．１１ｎによって導入されたブロック確認応答の変形である。ＣＢＡフレームは、６４ビットのビットマップフィールドを含有する。ビットマップの各ビットは、Ａ−ＭＰＤＵフレームのうち１個のＭＰＤＵを承認する。損なわれたＭＰＤＵは、ビットマップ内にゼロで示され、一方首尾よく受信されたＭＰＤＵが１で示される。Ａ−ＭＰＤＵフレーム内の損なわれたＭＰＤＵは、以降の送信で再送信される。ＣＢＡビットマップは、カレントチャネル状態のクリヤマップとして読みとられることができる。
【０００４】
チャネルが誤りのない場合、多数のＭＰＤＵによってＡ−ＭＰＤＵフレームを送信することが推奨されるが、高ビット誤り率（ＢＥＲ）のチャネルの場合、大きな数のこれらのＭＰＤＵが損なわれてかつ再送信のためにＣＢＡビットマップ内にマークされる。高エラー率確率を備えた環境で多数のＭＰＤＵのＡ−ＭＰＤＵを送信することは、チャネル時間を浪費してかつネットワーク性能を低下させることに導く。異なるネットワーク状態の下でスループットを向上させ、かつ遅延を減少させる最適のフレームサイズを推定するために多くの分析およびシミュレーション作業が実施されてきた。
【０００５】
したがって、Ａ−ＭＰＤＵアグリゲーションサイズをチャネルの現在の状態に動的に適応させるための方法を提供する必要性が存在することが、従来技術に見られることができる。チャネル状態は、追加的なデータ送信を要求することなく以前のフレーム送信のＣＢＡビットマップから読みとられることができる。
【発明の概要】
【発明が解決しようとする課題】
【０００６】
ＡＣＫビットマップに基づいてアグリゲーションサイズを調節するための方法を提供することが、本発明の一目的である。
【０００７】
無線ネットワークにおけるフレームアグリゲーションサイズを調節するための方法を提供することが、本発明のさらに一目的である。
【０００８】
追加的なデータを送信することなくフレームアグリゲーションサイズを調節するための方法を提供することが、本発明の更に別の目的である。
【課題を解決するための手段】
【０００９】
したがって、これらの目的は本発明の教示に従うことによって達成されることができる。本発明は、ＡＣＫビットマップに基づいてアグリゲーションサイズを調節するための方法であって、次のステップ、すなわち：ｋ番目の圧縮ブロック確認応答（ＣＢＡ）を受信するステップ；等式（１）を適用することによって粒度係数（ｇ）を算出するステップ；等式（２）を適用することによってｋ番目のＣＢＡに対するビットエラー密度（ＢＥＤｋ）を確定するステップ；（ｋ＋１）番目のＣＢＡを受信するステップ；等式（２）を適用することによって（ｋ＋１）番目のＣＢＡに対するビットエラー密度（ＢＥＤｋ＋１）を確定するステップ；粒度係数（ｇ）、ｋ番目のビットエラー密度ＢＥＤｋ値および（ｋ＋１）番目のビットエラー密度ＢＥＤｋ＋１の値に基づいてアグリゲーションサイズを調節するステップによって特徴づけられ；ｋ番目のビットエラー密度ＢＥＤｋが（ｋ＋１）番目のビットエラー密度ＢＥＤｋ＋１より大きな場合、その時粒度係数（ｇ）の値に基づいてアグリゲーションサイズを増加させ；ｋ番目のビットエラー密度ＢＥＤｋが、（ｋ＋１）番目のビットエラー密度ＥＤｋ＋１より小さい場合、その時粒度係数（ｇ）の値に基づいてアグリゲーションサイズを減少させ；ｋ番目のビットエラー密度ＢＥＤｋが（ｋ＋１）番目のビットエラー密度と等しい場合、その時アグリゲーションサイズが変化せず保持されることを特徴とする方法に関する。
【図面の簡単な説明】
【００１０】
本発明の好ましい実施態様の添付の図面と連動して読みとられる時、本発明の特徴は以下の詳細な説明からより容易に理解されかつ認識され、そこにおいて：
【００１１】
【図１】ＡＣＫビットマップに基づいてアグリゲーションサイズを調節するための方法の流れ図である。
【図２】ＡＣＫビットマップに基づいてアグリゲーションサイズを調節するための方法のブロック図である。
【発明を実施するための形態】
【００１２】
必要に応じて、本発明の詳細な実施態様が本願明細書に開示される；しかしながら、開示された実施態様が単に本発明の例示的であるだけであり、種々の形式で具体化されることができることが理解されるべきである。したがって、本願明細書に開示される特定の構造上および機能的詳細は、限定としてではなく、単に請求項の基準としてだけ解釈されるべきである。図面およびそれに対する詳細な説明が本発明を開示される特定の形式に限定することが意図されず、これに反して、本発明は添付の請求の範囲によって規定される、本発明の範囲内に含まれる全ての修正、等価物および代替を包含することが理解されるべきである。本出願の全体にわたって用いられるように、単語「することができる（ｍａｙ）」は、義務的な意味（すなわちしなければならないことを意味する）よりむしろ寛容な意味で用いられる（すなわち可能性を有することを意味する）。同じように、単語「含む（ｉｎｃｌｕｄｅ）」、「含む（ｉｎｃｌｕｄｉｎｇ）」および「含む（ｉｎｃｌｕｄｅｓ）」は含むことを意味するが、限定されない。更に、単語「１つの（ａ）」または「１つの（ａｎ）」は「少なくとも１つ」を意味し、および単語「複数（ｐｌｕｒａｌｉｔｙ）」は別な方法で言及されない限り、１つ以上を意味する。省略形または技術用語が用いられるところでは、これらはこの技術分野において既知であるとして共通に受け入れられた意味を示す。明確にするため、図に共通の同じまたは類似した特徴を参照する時、共通の参照番号が図の全体にわたって用いられる。本発明が、次に図１−２を参照して記述される。
【００１３】
本発明は、ＡＣＫビットマップに基づいてアグリゲーションサイズを調節するための方法であって、次のステップ、すなわち：
ｋ番目の圧縮ブロック確認応答（ＣＢＡ）を受信するステップであって、ｋがＣＢＡを受信する順番であるステップ；
等式（１）を適用することによって粒度係数（ｇ）を算出するステップ；
2016500981.tif 000003
ここで、
Ａｇｇｍａｘは、最大アグリゲーションであり、
Ｑａｖｇは、平均待ち行列の長さである；
等式（２）を適用することによってｋ番目のＣＢＡに対するビットエラー密度（ＢＥＤｋ）を確定するステップ；
ＢＥＤｋ＝ｂｚ／ｂｔ    （２）
ここで、ｂｚはｋ番目のＡＣＫのゼロビットの数であり、
ｂｔはｋ番目のＡＣＫの使用されたビットの合計数である；
（ｋ＋１）番目のＣＢＡを受信するステップ；
等式（２）を適用することによって（ｋ＋１）番目のＣＢＡに対するビットエラー密度（ＢＥＤｋ＋１）を確定するステップ；
粒度係数（ｇ）、ｋ番目のビットエラー密度ＢＥＤｋ値および（ｋ＋１）番目のビットエラー密度ＢＥＤｋ＋１の値に基づいてアグリゲーションサイズを調節するステップによって特徴づけられ；
ｋ番目のビットエラー密度ＢＥＤｋが（ｋ＋１）番目のビットエラー密度ＢＥＤｋ＋１より大きな場合、その時粒度係数（ｇ）の値に基づいてアグリゲーションサイズを増加させ；
ｋ番目のビットエラー密度ＢＥＤｋが（ｋ＋１）番目のビットエラー密度ＢＥＤｋ＋１より小さい場合、その時粒度係数（ｇ）の値に基づいてアグリゲーションサイズを減少させ；
ｋ番目のビットエラー密度ＢＥＤｋが（ｋ＋１）番目のビットエラー密度ＢＥＤｋ＋１と等しい場合、その時アグリゲーションサイズが変化せず保持されることを特徴とする方法に関する。
【００１４】
ＡＣＫビットマップに基づいてアグリゲーションサイズを調節するための方法の好ましい一実施態様では、アグリゲーションサイズは８０２．１１ｎ標準によって規定される６４キロバイトを上回ってはならない。
【００１５】
ＡＣＫビットマップに基づいてアグリゲーションサイズを調節するための方法の好ましい一実施態様では、最小アグリゲーションサイズは待ち行列における平均パケットサイズである。
【００１６】
ＡＣＫビットマップに基づいてアグリゲーションサイズを調節するための方法の好ましい一実施態様では、安定性閾値（Ｄｂ，Ｄｗ）が誤った判定および速い変動を回避するのに用いられる。
【００１７】
好ましい実施態様において、ＩＥＥＥ８０２．１１ｎ標準は２種類のアグリゲーション、アグリゲートＭＡＣサービスデータユニット（Ａ−ＭＳＤＵ）およびアグリゲートＭＡＣプロトコルデータユニット（Ａ−ＭＰＤＵ）を規定する。Ａ−ＭＰＤＵアグリゲーションは、単一物理レイヤ（ＰＨＹ）プロトコルデータユニット（ＰＰＤＵ）フレーム内に複数のＭＡＣプロトコルデータユニット（ＭＰＤＵ）を組み合わせ、かつ単一チャネルアクセスでそれを送信する。Ａ−ＭＰＤＵアグリゲーションによって構成されるＰＰＤＵのサイズは、６４キロバイトまたは６４ＭＰＤＵのうちどちらかの、より早く到達されるものの上限を有する。したがって、ＡＣＫビットマップに基づいてアグリゲーションサイズを調節するための本方法は、６４キロバイトを超えないアグリゲーションサイズを使用する。
【００１８】
好ましい一実施態様において、ＡＣＫビットマップに基づいてアグリゲーションサイズを調節するための方法は、アグリゲーションサイズを増加させるかまたは減少させ、かつ追加的なデータ送信を減少させる判定基準としてビットマップ内のゼロの密度を用いる。
【００１９】
好ましい一実施態様では、ＡＣＫビットマップに基づいてアグリゲーションサイズを調節するための方法は、センダからＣＢＡを受信することによって開始し、そして次に、粒度係数ｇ、ＢＥＤｋおよびＢＥＤｋ＋１を算出する。ＢＥＤｋ＋１およびＢＥＤｋの値に基づいて、アグリゲーションサイズ（Ａ）が調節されるかまたは変化せず保持される。ＢＥＤｋ＋１がＢＥＤｋより大きい（ＢＥＤｋ＋１＞ＢＥＤｋ）、無線ネットワークの品質が悪くなっている場合、その時現在のアグリゲーションサイズ（Ａ）は係数ｇだけ減少する。無線ネットワークの品質がよりよくなっている（ＢＥＤｋ＋１＜ＢＥＤｋ）場合、その時アグリゲーションサイズはｇの係数だけ増加する。さもなければ、ＢＥＤｋがＢＥＤｋ＋１と等しい（ＢＥＤｋ＝ＢＥＤｋ＋１）場合、したがって、それはネットワークが安定であることを意味し、および現在のアグリゲーションサイズは変化せず保持される。
【００２０】
好ましい一実施態様では、無線ネットワークにおける急転に起因するアグリゲーションサイズの誤った判定および速い変動を回避するために、ＢＥＤｋ＋１の値は、単一のＣＢＡによってではなく、調整閾値（Ｄ）と呼ばれる受信されたＣＢＡのある範囲で確定される。安定性閾値が満たされない限り、アグリゲーションサイズは変えられない。
【００２１】
好ましい一実施態様において、ＢＥＤｋ＋１がＢＥＤｋより大きい場合、カウンタ（Ｄｗ）は増加され、さもなければカウンタ（Ｄｗ）は帰零である。同じように新規のＢＥＤｋ＋１がＢＥＤｋ未満の場合、（Ｄｂ）は増加され、さもなければ（Ｄｂ）は帰零である。ＤｗまたはＤｂのどちらかが調整閾値に到達する場合だけ、アグリゲーションサイズを再調整することが実行される。
【００２２】
好ましい一実施態様では、ＡＣＫビットマップに基づいてアグリゲーションサイズを調節するための方法を達成するために互いに相互作用するコンポーネントを表すブロック図が、図２内に示される。本方法は、最近送信されたＡ−ＭＰＤＵの確認応答として受信されるＡＣＫビットマップに依存する。図２で示すＢＥＤユニット（２０２）は、使用されたビットの合計数（ｂｔ）に対する、ゼロビット（ｂｚ）の比率、ＢＥＤ＝ｂｚ／ｂｔをチェックすることによってＡＣＫビットマップからＢＥＤを算出する役割を果たし、ここで０≦ｂｚ≦６４および１≦ｂｔ≦６４である。
【００２３】
2016500981.tif 000004
【００２４】
好ましい一実施態様では、アグリゲートＡ−ＭＰＤＵは、複数のＭＰＤＵを備える。ｇの値は、待ち行列内の過半数のパケットのサイズに依存する。例えば、１５００の平均パケットサイズは、アグリゲーションサイズが１個のＭＰＤＵを搭載する／除去するように調整され、一方１２８の平均パケットサイズは、アグリゲーションを４個のＭＰＤＵを搭載する／除去するように調整する。したがって、パケットの大多数が大きなパケットである場合、アグリゲーションサイズは１個のＭＰＤＵだけによって調節される。
【００２５】
好ましい一実施態様では、アグリゲーションサイズ調整ユニット（２０３）は、ＢＥＤユニット（２０２）のＢＥＤｋ計算および粒度ユニット（２０４）の粒度計算から受信されるパラメータに依存する。アグリゲーションサイズ調整ユニット（２０３）はＢＥＤｋ＋１およびＢＥＤｋに基づいてアグリゲーションサイズを調節し、および新規のアグリゲーションサイズがアグリゲーションユニット（２０５）に供給される。新規のアグリゲーションサイズが、次いで以降の送信において用いられる。
【００２６】
現在の無線状態に従って無線ネットワークのアグリゲーションサイズを調節することは、無線使用時間を維持してかつ無線ネットワーク性能を向上させる際に有意である。したがって、誤りのないチャネルに対する、および大多数の用途に対する好ましい一実施態様では、単一送信で多数のＭＰＤＵを収容するためにアグリゲーションサイズを増加させることが好ましい。しかしながら誤ったチャネルに対して、アグリゲーションサイズは過剰な再送信に帰着するＭＰＤＵ破損を回避するために減少されるべきである。
【００２７】
本発明の利点をより容易に理解することができる、ＡＣＫビットマップに基づいてアグリゲーションサイズを調節するための方法の実施例が、下記である。以下の実施例が例証となる目的だけのためにあって、かついかなる形であれ本発明を限定すると解釈されるべきでないことが理解されるべきである。
【実施例】
【００２８】
８０２．１１ｎ標準によって規定されるように、最大アグリゲーションサイズ（Ａｇｇｍａｘ）は６４ＫＢである。８０２．１１ｎ標準によって規定されるようにＡＣＫビットマップのサイズ＝６４ビット。表（１）は、等式（１）に従う、異なる待ち行列平均でのｇの値を示す：
2016500981.tif 000005
【００２９】
表１：平均待ち行列の長さおよび対応するｇ値
2016500981.tif 000006
【００３０】
実施例１：ｋ番目のビットエラー密度ＢＥＤｋが（ｋ＋１）番目のビットエラー密度ＢＥＤｋ＋１より小さい、ＢＥＤｋ＋１＞ＢＥＤｋ。
圧縮ブロックＡＣＫは表（２）におけるように受信される：
合計使用されたビット＝２０（ｂ０からｂ１９）；
首尾よく受信されたサブフレームの数＝１４；
損なわれたサブフレームの数＝６  その時；
ｂｔ＝２０；
ｂｚ＝６；
ＢＥＤ＝ｂｚ／ｂｔ＝６／２０＝０．３０、このビットエラー密度（ＢＥＤ）が、ＢＥＤｋと呼ばれる；
ＢＥＤｋ＝０．３０。
【００３１】
表２：ｋ番目のＣＢＡ
2016500981.tif 000007
【００３２】
次の圧縮ブロックＡＣＫは表（３）におけるように受信される：
合計使用されたビット＝１５（ｂ０からｂ１４）；
首尾よく受信されたサブフレームの数＝８；
損なわれたサブフレームの数７；
ｂｔ＝１５；
ｂｚ＝７；
ＢＥＤ＝ｂｚ／ｂｔ＝７／１５＝０．４６、このビットエラー密度（ＢＥＤ）は、（ＢＥＤ（ｋ＋１））である；
（ＢＥＤ（ｋ＋１））＝０．４６。
【００３３】
表３：（ｋ＋１）番目のＣＢＡ
2016500981.tif 000008
【００３４】
（ＢＥＤｋ＋１＞ＢＥＤｋ）であるので、新規のアグリゲーションサイズが等式（３）を使用することにより算出される：
Ａ＝ｍａｘ（Ｑａｖｇ，Ａ−ｇ．Ｑａｖｇ）    （３）
表（１）から、Ｑａｖｇ＝２５６を考慮する場合、ｇの値は２である。現在のアグリゲーションサイズ（Ａ）が２０００バイトであると想定することによって、その時：
Ａ＝ｍａｘ（２５６，２０００−２＊２５６）
＝ｍａｘ（２５６，２０００−５１２）
＝ｍａｘ（２５６，１４８８）＝１４８８
新規のアグリゲーションサイズは、１４８８まで減少させられる；
Ａ＝１４８８
【００３５】
実施例２：ｋ番目のビットエラー密度ＢＥＤｋが、（ｋ＋１）番目のビットエラー密度ＢＥＤｋ＋１より大きい、ＢＥＤｋ＋１＜ＢＥＤｋ。
圧縮ブロックＡＣＫは表（４）におけるように受信される：
合計使用されたビット＝２０（ｂ０からｂ１９）；
首尾よく受信されたサブフレームの数＝１４；
損なわれたサブフレームの数＝６；
ｂｔ＝２０；
ｂｚ＝６；
ＢＥＤ＝ｂｚ／ｂｔ＝６／２０＝０．３０、このＢＥＤはｋ番目のＢＥＤ、ＢＥＤｋと呼ばれる；
ＢＥＤｋ＝０．３０。
【００３６】
表（４）：ｋ番目のＣＢＡ
2016500981.tif 000009
【００３７】
次の圧縮ブロックＡＣＫは表（５）におけるように受信される：
合計使用されたビット＝１５（ｂ０からｂ１４）；
首尾よく受信されたサブフレームの数＝１１；
損なわれたサブフレームの数＝４；
ｂｔ＝１５；
ｂｚ＝４；
ＢＥＤ＝ｂｚ／ｂｔ＝４／１５＝０．２６、このＢＥＤは（ｋ＋１）番目のＢＥＤ、ＢＥＤｋ＋１と呼ばれる；
ＢＥＤｋ＋１＝０．２６
【００３８】
表（５）：（ｋ＋１）番目のＣＢＡ
2016500981.tif 000010
【００３９】
ＢＥＤｋ＋１＜ＢＥＤｋであるので、新規のアグリゲーションサイズが等式（３）を使用することにより算出される：
Ａ＝ｍａｘ（Ｑａｖｇ，Ａ−ｇ．Ｑａｖｇ）    （３）
表（１）から、Ｑａｖｇ＝２５６を考慮する場合、ｇの値は２である。現在のアグリゲーションサイズ（Ａ）が２０００バイトであると想定することによって、その時：
Ａ＝ｍｉｎ（６４０００，２０００＋２＊２５６）
＝ｍｉｎ（２５６，２０００＋５１２）
＝ｍｉｎ（２５６，２５１２）＝２５１２
新規のアグリゲーションサイズは、２５１２バイトまで増加する；
Ａ＝２５１２。
【００４０】
実施例３：ｋ番目のビットエラー密度ＢＥＤｋが、（ｋ＋１）番目のビットエラー密度ＢＥＤｋ＋１と等しい、ＢＥＤｋ＝ＢＥＤｋ＋１。
次の圧縮ブロックＡＣＫは表（６）におけるように受信される：
合計使用されたビット＝２０（ｂ０からｂ１９）；
首尾よく受信されたサブフレームの数＝１４；
損なわれたサブフレームの数＝６；
ｂｔ＝２０；
ｂｚ＝６；
ＢＥＤ＝ｂｚ／ｂｔ＝６／２０＝０．３０、このＢＥＤは、ＢＥＤｋと呼ばれる；
ＢＥＤｋ＝０．３０。
【００４１】
表（６）：ｋ番目のＣＢＡ
2016500981.tif 000011
【００４２】
（ｋ＋１）番目の圧縮ブロックＡＣＫは表（７）におけるように受信される：
合計使用されたビット＝１０（ｂｏからｂ１４）；
首尾よく受信されたサブフレームの数＝７；
損なわれたサブフレームの数＝３；
ｂｔ＝１０；
ｂｚ＝３；
ＢＥＤ＝ｂｚ／ｂｔ＝３／１０＝０．３、このＢＥＤは、ＢＥＤｋ＋１と呼ばれる；
【００４３】
表（７）：（ｋ＋１）番目のＣＢＡ
2016500981.tif 000012
【００４４】
（ＢＥＤｋ＝ＢＥＤｋ＋１）であるので、現在のアグリゲーションサイズ（Ａ）が２０００バイトであると想定することによって、その時新規のアグリゲーションサイズは変化せず保持される
Ａ＝Ａ
Ａ＝２０００
【００４５】
本発明が特定の実施態様を参照して記述され、さらに添付された図内に示されたとはいえ、多くの変形および修正が明細書にて説明したように本発明の範囲内で実行されることができ、かつ以下の請求項内に規定されることができることは当業者にとって明白である。
【符号の説明】
【００４６】
本発明に従う添付の図面内に使用される参照番号の記述：
2016500981.tif 000013
【図１】
2016500981.tif 000015
【図２】
2016500981.tif 000016
【国際調査報告】
2016500981.tif 000017
2016500981.tif 000018